(57)【要約】【課題】実際の印刷出力結果と一致する物理印刷プレビューイメージを作成できる情報処理装置を提供することを目的とする。【解決手段】印刷対象物の印刷データを印刷装置に出力し、前記印刷装置に印刷させる情報処理装置であって、前記印刷対象物の初期印刷設定を取得する初期設定取得手段と、前記印刷対象物の実際に印刷される原稿様式情報を取得し、取得した前記原稿様式情報に基づいて、前記初期印刷設定を更新する設定更新手段と、前記設定更新手段で更新された印刷設定を反映した前記印刷対象物の印刷プレビューイメージを作成する印刷プレビュー作成手段と、を有することを特徴とする。【選択図】図１
2009104532.tif 000002
【特許請求の範囲】
【請求項１】
印刷対象物の印刷データを印刷装置に出力し、前記印刷装置に印刷させる情報処理装置であって、
前記印刷対象物の初期印刷設定を取得する初期設定取得手段と、
前記印刷対象物の実際に印刷される原稿様式情報を取得し、取得した前記原稿様式情報に基づいて、前記初期印刷設定を更新する設定更新手段と、
前記設定更新手段で更新された印刷設定を反映した前記印刷対象物の印刷プレビューイメージを作成する印刷プレビュー作成手段と、を有することを特徴とする情報処理装置。
【請求項２】
更に、前記印刷対象物の前記印刷設定を印刷設定画面で入力する印刷設定入力手段と、
前記印刷設定画面と前記印刷プレビューイメージとを同一画面上に表示する表示手段と、を有し、
前記印刷プレビュー作成手段は、前記印刷設定入力手段で入力された前記印刷設定を反映した前記印刷対象物の印刷プレビューイメージを作成することを特徴とする請求項１記載の情報処理装置。
【請求項３】
前記印刷プレビュー作成手段は、同一画面に表示される複数の前記印刷対象物の前記印刷プレビューイメージを作成可能であることを特徴とする請求項１又は２記載の情報処理装置。
【請求項４】
印刷対象物の印刷データを印刷装置に出力し、前記印刷装置に印刷させる情報処理方法であって、
前記印刷対象物の初期印刷設定を取得する初期設定取得ステップと、
前記印刷対象物の実際に印刷される原稿様式情報を取得し、取得した前記原稿様式情報に基づいて、前記初期印刷設定を更新する設定更新ステップと、
前記設定更新ステップで更新された印刷設定を反映した前記印刷対象物の印刷プレビューイメージを作成する印刷プレビュー作成ステップと、を有することを特徴とする情報処理方法。
【請求項５】
更に、前記印刷対象物の前記印刷設定を印刷設定画面で入力する印刷設定入力ステップと、
前記印刷設定画面と前記印刷プレビューイメージとを同一画面上に表示する表示ステップと、を有し、
前記印刷プレビュー作成ステップは、前記印刷設定入力ステップで入力された前記印刷設定を反映した前記印刷対象物の印刷プレビューイメージを作成することを特徴とする請求項４記載の情報処理方法。
【請求項６】
前記印刷プレビュー作成ステップは、同一画面に表示される複数の前記印刷対象物の前記印刷プレビューイメージを作成可能であることを特徴とする請求項４又は５記載の情報処理方法。
【請求項７】
請求項４乃至６の何れか一項記載の情報処理方法を、コンピュータに実行させることを特徴とするプログラム。
【請求項８】
請求項７記載のプログラムを記録した、コンピュータが読み取り可能な記録媒体。
【発明の詳細な説明】
【技術分野】
【０００１】
本発明は、印刷プレビュー機能を有する情報処理装置、情報処理方法、プログラム及び記録媒体に関する。
【背景技術】
【０００２】
コンピュータなどの情報処理装置においてドキュメントを印刷する場合に、ユーザによる印刷指示の後、実際に印刷が行われる前に、印刷出力イメージをディスプレイ上に画像表示して印刷仕上がりを確認する機能である印刷プレビュー機能がよく用いられる。ユーザは、印刷プレビュー機能を利用することで、実際に印刷することなく、印刷仕上がりをイメージすることができる。
【０００３】
従来の情報処理装置では、実際に印刷しなくとも、文書作成アプリケーションにて、印刷設定を考慮しない論理ページを視認可能にする論理印刷プレビューイメージの作成を実現することができたが、論理印刷プレビューイメージの視認結果は、実際の印刷結果と一致しないため、印刷プレビューの機能としては不十分であった。
【０００４】
上記問題点を解決し、印刷プレビューの機能を向上させるため、実際の印刷処理を行うことで中間ファイルを作成し、実際の印刷結果と一致するような物理印刷プレビューイメージの作成する技術が提案されている（例えば、特許文献１参照）。
【０００５】
更に、中間ファイルの作成に時間がかかり、操作性が悪くなる点を改善するため、中間ファイルを作成せずに、物理印刷プレビューイメージを作成することで、印刷プレビューを表示するまでの時間を短縮する技術が提案されている（例えば、特許文献２参照）。
【特許文献１】特開２００４−００５２４１号公報
【特許文献２】特開２００６−２０２１１２号公報
【発明の開示】
【発明が解決しようとする課題】
【０００６】
しかしながら、従来から提案されている技術では、原稿サイズ、印刷方向はプリンタドライバで設定した値に基づいて物理印刷プレビューイメージを作成するため、使用する文書作成アプリケーションによっては、作成される物理印刷プレビューイメージが、実際の印刷出力結果と一致しないという問題があった。
【０００７】
本発明は、上記に鑑みてなされたもので、実際の印刷出力結果と一致する物理印刷プレビューイメージを作成できる情報処理装置、情報処理方法、プログラム及び記録媒体を提供することを目的とする。
【課題を解決するための手段】
【０００８】
上記目的を達成するため、第１の発明は、印刷対象物の印刷データを印刷装置に出力し、前記印刷装置に印刷させる情報処理装置であって、前記印刷対象物の初期印刷設定を取得する初期設定取得手段と、前記印刷対象物の実際に印刷される原稿様式情報を取得し、取得した前記原稿様式情報に基づいて、前記初期印刷設定を更新する設定更新手段と、前記設定更新手段で更新された印刷設定を反映した前記印刷対象物の印刷プレビューイメージを作成する印刷プレビュー作成手段と、を有することを特徴とする。
【０００９】
第２の発明は、第１の発明に係る情報処理装置において、更に、前記印刷対象物の前記印刷設定を印刷設定画面で入力する印刷設定入力手段と、前記印刷設定画面と前記印刷プレビューイメージとを同一画面上に表示する表示手段と、を有し、前記印刷プレビュー作成手段は、前記印刷設定入力手段で入力された前記印刷設定を反映した前記印刷対象物の印刷プレビューイメージを作成することを特徴とする。
【００１０】
第３の発明は、第１又は第２の発明に係る情報処理装置において、前記印刷プレビュー作成手段は、同一画面に表示される複数の前記印刷対象物の前記印刷プレビューイメージを作成可能であることを特徴とする。
【００１１】
第４の発明は、印刷対象物の印刷データを印刷装置に出力し、前記印刷装置に印刷させる情報処理方法であって、前記印刷対象物の初期印刷設定を取得する初期設定取得ステップと、前記印刷対象物の実際に印刷される原稿様式情報を取得し、取得した前記原稿様式情報に基づいて、前記初期印刷設定を更新する設定更新ステップと、前記設定更新ステップで更新された印刷設定を反映した前記印刷対象物の印刷プレビューイメージを作成する印刷プレビュー作成ステップと、を有することを特徴とする。
【００１２】
第５の発明は、第４の発明に係る情報処理方法において、更に、前記印刷対象物の前記印刷設定を印刷設定画面で入力する印刷設定入力ステップと、前記印刷設定画面と前記印刷プレビューイメージとを同一画面上に表示する表示ステップと、を有し、前記印刷プレビュー作成ステップは、前記印刷設定入力ステップで入力された前記印刷設定を反映した前記印刷対象物の印刷プレビューイメージを作成することを特徴とする。
【００１３】
第６の発明は、第４又は第５の発明に係る情報処理方法において、前記印刷プレビュー作成ステップは、同一画面に表示される複数の前記印刷対象物の前記印刷プレビューイメージを作成可能であることを特徴とする。
【００１４】
第７の発明は、第４乃至第６の何れか一に記載の発明に係る情報処理方法を、コンピュータに実行させるプログラムであることを特徴とする。
【００１５】
第８の発明は、第７の発明に係るプログラムを記録した、コンピュータが読み取り可能な記録媒体であることを特徴とする。
【発明の効果】
【００１６】
本発明によれば、実際の印刷出力結果と一致する物理印刷プレビューイメージを作成できる情報処理装置、情報処理方法、プログラム及び記録媒体を提供することができる。
【発明を実施するための最良の形態】
【００１７】
以下、図面を参照して、本発明を実施するための最良の形態の説明を行う。
【００１８】
〈第１の実施の形態〉
図１は本発明の第１の実施の形態に係る情報処理装置１１０の概略の構成例を示すブロック図である。また、図２は、本発明の第１の実施の形態に係る情報処理装置１１０及びプリンタ装置１２０から構成される印刷制御システム１００の概略の構成例を示すブロック図である。図２に示すように、情報処理装置１１０とプリンタ装置１２０とは、例えば、ＬＡＮなどのネットワークで接続され、印刷制御システム１００を構成する。情報処理装置１１０は、ＬＡＮなどのネットワークを経由して、印刷対象物の印刷データをプリンタ装置１２０に出力し、プリンタ装置１２０に印刷させる機能を有する。
【００１９】
図１に示す情報処理装置１１０は、図示しない中央演算装置（ＣＰＵ）、一次記憶装置、二次記憶装置、内部バス、入出力制御装置、入力装置、出力装置等の一般的なコンピュータ構成要素により構成されている。また、情報処理装置１１０には、図示しないオペレーティングシステム（ＯＳ）がインストールされており、更に、プリンタドライバ１１１、プリンタドライバ拡張ＡＰＩ１１２、文書作成アプリケーションソフトウェア１１３、文書管理アプリケーションソフトウェア１１４、及び、印刷設定ＵＩ１１５がインストールされている。また、情報処理装置１１０は表示部１１６を備えている。
【００２０】
中央演算装置（ＣＰＵ）は、印刷制御システム１００全体の制御を司り、一次記憶装置及び／又は二次記憶装置は中央演算装置（ＣＰＵ）が実行するプログラム、その他の固定データ等を格納する。本発明に係る情報処理装置１１０が実行するプログラムは、一次記憶装置及び／又は二次記憶装置等に予め組み込まれていても構わないし、インストール可能な形式又は実行可能な形式のファイルで、本発明に係る情報修理装置１１０に内蔵された、又は、外付け可能なＨＤＤ、ＣＤ−ＲＯＭ、ＦＤ、ＤＶＤ等の記録装置（図示せず）で読み取り可能な記録媒体に記録して提供しても構わない。
【００２１】
図１において、プリンタドライバ１１１は、図２に示すプリンタ装置１２０を制御するソフトウェアであり、アプリケーションから送られた印刷データは、プリンタドライバ１１１を経由してプリンタ装置１２０に送られる。プリンタドライバ１１１では、画質や用紙の選択などの印刷設定値の情報（印刷設定情報）の取得及び印刷設定値の設定が可能である。
【００２２】
プリンタドライバ拡張ＡＰＩ１１２は、アプリケーション・プログラム・インターフェースであり、通常、ベンダーが提供するプリンタドライバ１１１やそれに付随するインストールパッケージ、あるいはアプリケーションよりインストールされることが一般的である。ベンダー固有の設定値などプリンタドライバ１１１から取得できない設定値がある場合、プリンタドライバ拡張ＡＰＩ１１２より印刷設定値の情報（印刷設定情報）の取得及び印刷設定値の設定をすることができる。
【００２３】
文書作成アプリケーションソフトウェア１１３は、文書を作成するアプリケーションソフトウェアである。印刷する各ページの数、印刷プレビューイメージ、サイズ、方向といった情報を外部より取得することができる。文書管理アプリケーションソフトウェア１１４は、文書作成アプリケーションソフトウェア１１３で作成した文書ファイルや画像ファイルなどを統合管理するソフトウェアである。印刷設定ＵＩ１１５は、ユーザに対する情報の表示様式や、ユーザのデータ入力方式を規定する、印刷設定を行うためのユーザインターフェースである。表示部１１６は、例えば、印刷プレビューなどを表示するディスプレイである。
【００２４】
本発明の第１の実施の形態は、図１に示す情報処理装置１１０において、文書管理アプリケーションソフトウェア１１４が、文書作成アプリケーションソフトウェア１１３から印刷対象物の論理印刷プレビューイメージ及び印刷対象物の実際に印刷される原稿様式情報を取得し、取得した原稿様式情報に基づいて、初期印刷設定を更新し、更新された印刷設定を論理印刷プレビューイメージに反映させた印刷対象物の物理印刷プレビューイメージを作成し、作成された物理印刷プレビューイメージが、表示部１１６に表示される処理の例である。
【００２５】
図３は、対象文書を選択して印刷プレビュー実行の指示を受けた時の文書管理アプリケーションソフトウェア１１４のフローチャートの例を示す図である。ステップ１００において、文書管理アプリケーションソフトウェア１１４は、文書作成アプリケーションソフトウェア１１３から総ページ数Ｐを取得する（Ｓ１００）。
【００２６】
ステップ１１０において、文書管理アプリケーションソフトウェア１１４は、文書作成アプリケーションソフトウェア１１３から文書作成アプリケーションソフトウェア１１３が作成した印刷対象物であるページｐの印刷プレビューイメージを取得する（Ｓ１１０）。ここで取得できるものは、印刷設定が反映されていない論理印刷プレビューイメージである。ステップ１２０において、文書管理アプリケーションソフトウェア１１４は、文書作成アプリケーションソフトウェア１１３から印刷対象物であるページｐのサイズ、方向などの原稿様式情報を取得する（Ｓ１２０）。
【００２７】
ステップ１３０において、ページｐが総ページ数Ｐ以下であるか否かを判定し（Ｓ１３０）、ページｐが総ページ数Ｐ以下である場合には、ステップ１１０及びステップ１２０の処理を繰り返す。ページｐが総ページ数Ｐ以下でない場合には、ステップ１４０の処理を実行する。ステップ１４０において、文書管理アプリケーションソフトウェア１１４は、プリンタドライバ１１１またはプリンタドライバ拡張ＡＰＩ１１２に対してステップ１２０において取得したページｐのサイズ、ページの方向などの原稿様式情報を設定する（Ｓ１４０）。
【００２８】
ステップ１５０において、プリンタドライバ１１１は、印刷設定値に対して排他処理を行う（Ｓ１５０）。ここで排他処理とは、ページのサイズやページの方向によって設定可能な選択肢を制限することを意味する。例えば、ページの方向が縦の原稿に対して、２ｉｎ１集約は通常左から右方向に配置し、上から下方向には配置しない。従って、この場合は、上から下方向の配置は設定できない。ステップ１６０において、文書管理アプリケーション１１４は、プリンタドライバ１１１またはプリンタドライバ拡張ＡＰＩ１１２からステップ１５０において排他処理された印刷設定情報を取得する（Ｓ１６０）。
【００２９】
ステップ１７０において、文書管理アプリケーション１１４は、ステップ１１０において取得した論理印刷プレビューイメージを利用してステップ１６０において取得した印刷設定情報を反映した物理印刷プレビューイメージを作成し、作成された物理印刷プレビューイメージは、表示部１１６に表示される（Ｓ１７０）。これで、図３に示すフローチャートの処理は終了する。
【００３０】
ここで、物理印刷プレビューイメージの例について説明する。図４は、物理印刷プレビューイメージの例を示す図である。又、図５は、印刷設定情報の例を示す図である。図５に示す印刷設定情報は、文書管理アプリケーションソフトウェア１１４が、プリンタドライバ１１１又はプリンタドライバ拡張ＡＰＩ１１２から取得できる。ステップ１１０において、文書管理アプリケーションソフトウェア１１４が、文書作成アプリケーションソフトウェア１１３から取得する論理印刷プレビューイメージは、論理印刷プレビューイメージ１３１及び論理印刷プレビューイメージ１３２から構成されているとする。
【００３１】
この場合、ステップ１７０では、論理印刷プレビューイメージ１３１及び論理印刷プレビューイメージ１３２に、図５に示す「印刷用紙サイズ」、「余白」、「集約」、「集約仕切り線」、「両面／製本」、「ソート」、「パンチ」、「ステープル」、「カラー／白黒」、及び、「部数」の印刷設定情報を反映し、図４に示す物理印刷プレビューイメージ１３０を作成する。具体的には、Ａ３の領域の右半分における５ｍｍ内側に論理印刷プレビューイメージ１３１を配置し、Ａ３の領域の左半分における５ｍｍ内側に論理印刷プレビューイメージ１３２を配置する。Ａ３の領域の左右中心部分に点線で仕切り線１３３を描画する。このようにして、論理印刷プレビューイメージ（図示せず）に印刷設定情報を反映させた、物理印刷プレビューイメージ１３０を作成する。
【００３２】
図６は、印刷実行時のフローチャートの例を示す図である。ステップ２００において、文書管理アプリケーションソフトウェア１１４は、プリンタドライバ１１１に対して中間ファイル作成モードを設定する（Ｓ２００）。ステップ２１０において、文書管理アプリケーションソフトウェア１１４は、文書作成アプリケーションソフトウェア１１３に印刷要求を行う（Ｓ２１０）。
【００３３】
ステップ２２０において、中間ファイルが作成される（Ｓ２２０）。ステップ２３０において、文書管理アプリケーションソフトウェア１１４は、プリンタドライバ１１１に対して、中間ファイルと図３に示すフローチャート（Ｓ１６０）で取得した印刷設定を送信する（Ｓ２３０）。ステップ２４０において、送信された印刷設定で印刷を実行する（Ｓ２４０）。これで、図６に示すフローチャートの処理は終了する。
【００３４】
図６に示すフローチャートの処理により、図４に示す物理印刷プレビューイメージの印刷が実行できる。
【００３５】
このように、本発明の第１の実施の形態によれば、文書管理アプリケーションソフトウェア１１４が、従来と異なり、印刷対象物の実際に印刷される原稿様式情報を取得し、取得した原稿様式情報に基づいて、初期印刷設定を更新し、更新された印刷設定を論理印刷プレビューイメージに反映させた印刷対象物の物理印刷プレビューイメージを作成することにより、実際の印刷出力結果と一致する物理印刷プレビューイメージを作成することができる。
【００３６】
〈第２の実施の形態〉
本発明の第２の実施の形態は、図１に示す情報処理装置１１０において、物理印刷プレビューイメージと印刷設定画面とを表示部１１６に同時に表示させ、取得した情報に基づいて、表示部１１６に表示させた物理印刷プレビューイメージを更新することにより、印刷出力結果を確認しながら印刷設定を行うことができ、情報処理装置１１０の操作性を向上させるための処理の例である。
【００３７】
図３に示すフローチャートの後、更に、文書管理アプリケーションソフトウェア１１４は、図７に示すフローチャートの処理を実行する。図７は、対象文書を選択して印刷プレビュー実行の指示を受けた時の文書管理アプリケーションソフトウェア１１４のフローチャートの他の例を示す図である。
【００３８】
ステップ３００において、文書管理アプリケーションソフトウェア１１４は、プリンタドライバ１１１、又は、プリンタドライバ拡張ＡＰＩ１１２より印刷設定能力を取得する（Ｓ３００）。ここで、印刷設定能力とは、原稿方向やサイズ、或いは、他の印刷設定を考慮した設定可能な選択肢のことをいう。例えば、あるプリンタドライバにて、ステープルの設定として、原稿方向を横に設定したときには"左上"、"右上"、"上２つ"、"左２つ"、"右２つ"の５種類が設定可能であり、原稿方向を縦に設定したときには機能上"上２つ"が設定できず、"左上"、"右上"、"左２つ"、"右２つ"の４種類が設定可能であるとする。この情報が、原稿方向を考慮したステープルの設定可能な選択肢であり印刷設定能力である。
【００３９】
ステップ３１０において、文書管理アプリケーションソフトウェア１１４は、印刷設定ＵＩ１１５においてユーザに設定された印刷設定情報を取得する（Ｓ３１０）。ステップ３２０において、文書管理アプリケーションソフトウェア１１４は、ステップ３１０で取得した印刷設定情報のうちの、ステップ３００で取得した印刷設定能力の範囲を超えない情報のみを図３に示すステップ１７０において作成した物理印刷プレビューイメージに反映させ、物理印刷プレビューイメージを更新し、表示部１１６に表示する。これで、図７に示すフローチャートの処理は終了する。
【００４０】
図８は、表示部１１６に表示される印刷プレビューの画面表示の例を示す図である。図８において、物理印刷プレビューイメージと印刷設定画面が同一画面上に表示されている。左上側に表示されているのが物理印刷プレビューイメージであり、その周囲に表示されているのが印刷設定画面である。
【００４１】
図９は、ジョブ管理リストの例を示す図である。図９に示すように、文書名、ページ数、ページ情報リスト、印刷設定、及び、ページごとの描画データリストの各情報は、文書管理アプリケーションソフトウェア１１４でジョブ（ジョブＮｏ１〜３）ごとに管理される。ここで、文書名とは文書の名称、ページ数とは文書を構成するページ数、ページ情報リストとはページごとのサイズ・方向情報のリスト、印刷設定とは対象文書に対する印刷設定（例えば、図５に示す印刷設定）、ページ毎の描画データリストとは文書作成アプリケーションソフトウェア１１３が作成した論理印刷プレビューイメージリストである。このように、文書管理アプリケーションソフトウェア１１４は、図９に示す各情報をジョブごとに管理しているので、図８に示すように、物理印刷プレビューイメージと印刷設定画面を同一画面上に表示することができる。なお、図９に示す各情報は、ＸＭＬデータとして管理しても構わない。
【００４２】
図８に示すように、物理印刷プレビューイメージと印刷設定画面を同一画面上に表示することにより、ユーザは、表示部１１６に表示される物理印刷プレビューイメージを確認しながら、印刷設定の変更をすることができ、その設定変更情報を反映した物理印刷プレビューイメージを確認することができる。
【００４３】
このように、本発明の第２の実施の形態によれば、実際の印刷出力結果と一致する物理印刷プレビューイメージを作成し、更に、印刷設定能力及びユーザに設定された印刷設定情報を取得し、物理印刷プレビューイメージと印刷設定画面とを表示部１１６に同時に表示させ、取得した情報に基づいて、表示部１１６に表示させた物理印刷プレビューイメージを更新することにより、印刷出力結果を確認しながら印刷設定を行うことができ、情報処理装置１１０の操作性を向上させることができる。
【００４４】
〈第３の実施の形態〉
本発明の第３の実施の形態は、図１に示す情報処理装置１１０において、対象文書として複数の文書を選択して印刷プレビュー実行の指示を受けた時の処理の例である。図１０は、対象文書として複数の文書を選択して印刷プレビュー実行の指示を受けた時の文書管理アプリケーションソフトウェア１１４のフローチャートの例を示す図である。
【００４５】
ステップ４００において、文書管理アプリケーションソフトウェア１１４は、文書作成アプリケーションソフトウェア１１３から総文書数Ｎを取得する（Ｓ４００）。ステップ４１０において、文書管理アプリケーションソフトウェア１１４は、図３に示すフローチャートにおける全処理、又は、図３及び図７に示すフローチャートにおける全処理を実行する（Ｓ４１０）。ステップ４２０において、文書ｎが総文書数Ｎ以下であるか否かを判定し（Ｓ４２０）、文書ｎが総文書数Ｎ以下である場合には、ステップ４１０の処理を繰り返す。文書ｎが総文書数Ｎ以下でない場合には、図１０に示すフローチャートの処理は終了する。
【００４６】
図１１は、対象文書として複数の文書を選択した場合の、印刷実行時のフローチャートの例を示す図である。ステップ５００において、文書管理アプリケーションソフトウェア１１４は、文書作成アプリケーションソフトウェア１１３から総文書数Ｎを取得する（Ｓ５００）。ステップ５１０において、文書管理アプリケーションソフトウェア１１４は、図６に示すフローチャートにおける全処理を実行する（Ｓ５１０）。ステップ５２０において、文書ｎが総文書数Ｎ以下であるか否かを判定し（Ｓ５２０）、文書ｎが総文書数Ｎ以下である場合には、ステップ５１０の処理を繰り返す。文書ｎが総文書数Ｎ以下でない場合には、図１１に示すフローチャートの処理は終了する。
【００４７】
図１２は、対象文書として複数の文書を選択した場合の物理印刷プレビューイメージの例を示す図である。複数文書を選択した場合は、選択した文書数を取得し、各文書に対して、図３に示すフローチャート又は図３及び図７に示すフローチャートにおける処理を行い、図１２に示すように、作成された物理印刷プレビューを順番に配置する。また、印刷実行の際は、各文書に対して図６に示すフローチャートにおける処理を行うことで、複数文書を印刷することができる。
【００４８】
このように、本発明の第３の実施の形態によれば、例えば異なるアプリケーションで作成した文書を一度に印刷したい場合などに、印刷プレビューで確認して印刷するという処理を文書数分行なうのではなく、一度の操作で実現できるため情報処理装置１１０の操作性を向上することができる。
【００４９】
以上、本発明の好ましい実施の形態について詳説したが、本発明は、上述した実施の形態に制限されることはなく、本発明の範囲を逸脱することなく、上述した実施の形態に種々の変形及び置換を加えることができる。
【図面の簡単な説明】
【００５０】
【図１】本発明の第１の実施の形態に係る情報処理装置１１０の概略の構成例を示すブロック図である。
【図２】本発明の第１の実施の形態に係る情報処理装置１１０及びプリンタ装置１２０から構成される印刷制御システム１００の概略の構成例を示すブロック図である。
【図３】対象文書を選択して印刷プレビュー実行の指示を受けた時の文書管理アプリケーションソフトウェア１１４のフローチャートの例を示す図である。
【図４】物理印刷プレビューイメージの例を示す図である。
【図５】デフォルトの印刷設定情報の例を示す図である。
【図６】印刷実行時のフローチャートの例を示す図である。
【図７】対象文書を選択して印刷プレビュー実行の指示を受けた時の文書管理アプリケーションソフトウェア１１４のフローチャートの他の例を示す図である。
【図８】表示部１１６に表示される印刷プレビューの画面表示の例を示す図である。
【図９】ジョブ管理リストの例を示す図である。
【図１０】対象文書として複数の文書を選択して印刷プレビュー実行の指示を受けた時の文書管理アプリケーションソフトウェア１１４のフローチャートの例を示す図である。
【図１１】対象文書として複数の文書を選択した場合の、印刷実行時のフローチャートの例を示す図である。
【図１２】対象文書として複数の文書を選択した場合の物理印刷プレビューイメージの例を示す図である。
【符号の説明】
【００５１】
１００  印刷制御システム
１１０  情報処理装置
１１１  プリンタドライバ
１１２  プリンタドライバ拡張ＡＰＩ
１１３  文書作成アプリケーションソフトウェア
１１４  文書管理アプリケーションソフトウェア
１１５  印刷設定ＵＩ
１１６  表示部
１２０  プリンタ装置
１３０  物理印刷プレビューイメージ
１３１  論理印刷プレビューイメージ
１３２  論理印刷プレビューイメージ
１３３  仕切り線
【図１】
2009104532.tif 000003
【図２】
2009104532.tif 000004
【図３】
2009104532.tif 000005
【図４】
2009104532.tif 000006
【図５】
2009104532.tif 000007
【図６】
2009104532.tif 000008
【図７】
2009104532.tif 000009
【図８】
2009104532.tif 000010
【図９】
2009104532.tif 000011
【図１０】
2009104532.tif 000012
【図１１】
2009104532.tif 000013
【図１２】
2009104532.tif 000014